(57)【要約】【課題】可視光の透過率を十分に高くすることができるとともに、赤外線の遮蔽と乱光の遮蔽とを両立することができる光学シートおよび光学部品を提供すること。【解決手段】本発明の光学シートは、樹脂材料と、７８０ｎｍ以上２５００ｎｍの波長域の光を吸収する光吸収剤と、を含む光吸収層と、前記光吸収層に積層され、偏光機能を有する偏光層と、を備え、光透過スペクトルにおいて、７３０ｎｍ以上８３０ｎｍ以下の間に光透過率のピーク波長を有するピークを有し、３８０ｎｍ以上７８０ｎｍ以下の波長域の平均光透過率が１０以上であり、７８０ｎｍ以上２５００ｎｍの波長域の平均光透過率が１０以下であることを特徴とする光学シート。【選択図】図４
2019144327.tif 000002
【特許請求の範囲】
【請求項１】
樹脂材料と、７８０ｎｍ以上２５００ｎｍ以下の波長域の光を吸収する光吸収剤と、を含む光吸収層と、
前記光吸収層に積層され、偏光機能を有する偏光層と、を備え、
光透過スペクトルにおいて、７３０ｎｍ以上８３０ｎｍ以下の間に光透過率のピーク波長を有するピークを有し、
３８０ｎｍ以上７８０ｎｍ以下の波長域の平均光透過率が１０以上であり、
７８０ｎｍ超２５００ｎｍ以下の波長域の平均光透過率が１０以下であることを特徴とする光学シート。
【請求項２】
前記光透過スペクトルにおいて、７３０ｎｍ以上８３０ｎｍ以下の間の光透過率の前記ピーク波長をピーク波長Ｐ１とし、前記ピークを第１ピークとしたとき、
前記光透過スペクトルにおいて、４２０ｎｍ以上５２０ｎｍ以下の間に光透過率のピーク波長Ｐ２を有する第２ピークを有する請求項１に記載の光学シート。
【請求項３】
前記ピーク波長Ｐ１における光透過率は、１０％以上５０％以下である請求項２に記載の光学シート。
【請求項４】
前記ピーク波長Ｐ２における光透過率は、１０％以上５０％以下である請求項２または３に記載の光学シート。
【請求項５】
前記光吸収層における前記光吸収剤の含有量は、０．００１ｗｔ％以上２ｗｔ％以下である請求項１ないし４のいずれか１項に記載の光学シート。
【請求項６】
前記光吸収層の平均厚さは、０．０５ｍｍ以上０．３ｍｍ以下である請求項１ないし５のいずれか１項に記載の光学シート。
【請求項７】
前記樹脂材料は、主としてポリカーボネートである請求項１ないし６のいずれか１項に記載の光学シート。
【請求項８】
基材と、
前記基材に積層され、請求項１ないし７のいずれか１項に記載の光学シートと、を備えることを特徴とする光学部品。
【発明の詳細な説明】
【技術分野】
【０００１】
本発明は、光学シートおよび光学部品に関する。
【背景技術】
【０００２】
防眩や、目の保護等の目的で、入射光から特定の波長域を吸収する光学シートが知られている（例えば、特許文献１参照）。この光学シートは、眼鏡やサングラス、サンバイザー等に貼着して用いられる。
【０００３】
特許文献１に記載されている光学シートは、熱可塑性樹脂と、近赤外線吸収剤と、紫外線吸収剤と、を含むものである。このため、眼鏡等のレンズに該光学シートを貼着することで、紫外線や赤外線等が装着者の目に入るのが緩和される。
【０００４】
このような光学シートでは、入射してくる光のうち、乱光を遮蔽することも要求されている。そこで、入射する乱光を遮蔽する偏光層を、前述した光学シートに積層することが考えられる。しかしながら、偏光層を、前述した光学シートに単に積層するだけでは、可視光領域の乱光の遮断と、赤外線や紫外線等の不可視光領域の光の遮断とを十分に両立することができない。
【先行技術文献】
【特許文献】
【０００５】
【特許文献１】特開２０１７−１４９８２０号公報
【発明の概要】
【発明が解決しようとする課題】
【０００６】
本発明の目的は、可視光の透過率を十分に高くすることができるとともに、赤外線の遮蔽と乱光の遮蔽とを両立することができる光学シートおよび光学部品を提供することにある。
【課題を解決するための手段】
【０００７】
このような目的は、下記（１）〜（８）の本発明により達成される。
（１）  樹脂材料と、７８０ｎｍ以上２５００ｎｍ以下の波長域の光を吸収する光吸収剤と、を含む光吸収層と、
前記光吸収層に積層され、偏光機能を有する偏光層と、を備え、
光透過スペクトルにおいて、７３０ｎｍ以上８３０ｎｍ以下の間に光透過率のピーク波長を有するピークを有し、
３８０ｎｍ以上７８０ｎｍ以下の波長域の平均光透過率が１０以上であり、
７８０ｎｍ超２５００ｎｍ以下の波長域の平均光透過率が１０以下であることを特徴とする光学シート。
【０００８】
（２）  前記光透過スペクトルにおいて、７３０ｎｍ以上８３０ｎｍ以下の間の光透過率の前記ピーク波長をピーク波長Ｐ１とし、前記ピークを第１ピークとしたとき、
前記光透過スペクトルにおいて、４２０ｎｍ以上５２０ｎｍ以下の間に光透過率のピーク波長Ｐ２を有する第２ピークを有する上記（１）に記載の光学シート。
【０００９】
（３）  前記ピーク波長Ｐ１における光透過率は、１０％以上５０％以下である上記（２）に記載の光学シート。
【００１０】
（４）  前記ピーク波長Ｐ２における光透過率は、１０％以上５０％以下である上記（２）または（３）に記載の光学シート。
【００１１】
（５）  前記光吸収層における前記光吸収剤の含有量は、０．００１ｗｔ％以上２ｗｔ％以下である上記（１）ないし（４）のいずれかに記載の光学シート。
【００１２】
（６）  前記光吸収層の平均厚さは、０．０５ｍｍ以上０．３ｍｍ以下である上記（１）ないし（５）のいずれかに記載の光学シート。
【００１３】
（７）  前記樹脂材料は、主としてポリカーボネートである上記（１）ないし（６）のいずれかに記載の光学シート。
【００１４】
（８）  基材と、
前記基材に積層され、上記（１）ないし（７）のいずれかに記載の光学シートと、を備えることを特徴とする光学部品。
【発明の効果】
【００１５】
本発明によれば、可視光の透過率を十分に確保することができるとともに、偏光機能および赤外線吸収機能を両立することができる光学シートおよび光学部品を提供することができる。
【図面の簡単な説明】
【００１６】
【図１】本発明の光学シートを備えるサングラスの斜視図である。
【図２】本発明の光学シートを備えるサンバイザーの斜視図である。
【図３】図１および図２に示す光学シートの断面図である。
【図４】図３に示す光学シートの光透過スペクトルを示すグラフである。
【図５】図３に示す偏光層の光透過スペクトルを示すグラフである。
【図６】図３に示す赤外線吸収層の光透過スペクトルを示すグラフである。
【発明を実施するための形態】
【００１７】
以下、本発明の光学シートおよび光学部品を添付図面に示す好適な実施形態に基づいて詳細に説明する。
【００１８】
＜実施形態＞
図１は、本発明の光学シートを備えるサングラスの斜視図である。図２は、本発明の光学シートを備えるサンバイザーの斜視図である。図３は、図１および図２に示す光学シートの断面図である。図４は、図３に示す光学シートの光透過スペクトルを示すグラフである。図５は、図３に示す偏光層の光透過スペクトルを示すグラフである。図６は、図３に示す赤外線吸収層の光透過スペクトルを示すグラフである。
【００１９】
なお、図１〜図３では、上側を「上方」または「上」と言い、下側を「下方」または「下」とも言う。また、本明細書で参照する図面では、厚さ方向の寸法を誇張して図示しており、実際の寸法とは大きく異なる。
【００２０】
図１〜図３に示す本発明の光学シート１は、樹脂材料と、７８０ｎｍ以上２５００ｎｍ以下の波長域の光を吸収する赤外線吸収剤（光吸収剤）と、を含む赤外線吸収層４０（光吸収層）と、赤外線吸収層４０に積層され、偏光機能を有する偏光層３０と、を備え、光透過スペクトルにおいて、７３０ｎｍ以上８３０ｎｍ以下の間に光透過率のピーク波長Ｐ１を有する第１ピークＰａ（ピーク）を有し、３８０ｎｍ以上７８０ｎｍ以下の波長域の平均光透過率が１０以上であり、７８０ｎｍ超２５００ｎｍ以下の波長域の平均光透過率が１０以下である。
【００２１】
これにより、可視光の透過率を十分に高くすることができるとともに、赤外線の透過率を十分に低くすることができる。よって、可視光の透過率を高く維持しつつ、偏光機能と赤外線吸収機能とを両立することができる。その結果、良好な視界と、目の保護を両立することができる。
【００２２】
７３０ｎｍよりも短い波長域に光透過率のピーク波長Ｐ１が位置していた場合、赤外線の透過率が高くなってしまう傾向を示す。一方、８３０ｎｍよりも長い波長域に光透過率のピーク波長Ｐ１が位置していた場合、可視光の透過率が低くなる傾向を示す。
【００２３】
また、３８０ｎｍ以上７８０ｎｍ以下の波長域の平均光透過率が１０よりも低かった場合、装着者の視野が暗くなってしまう。
【００２４】
また、７８０ｎｍ超２５００ｎｍ以下の波長域の平均光透過率が１０より大きかった場合、赤外線吸収機能が不十分となる。
【００２５】
このような光学シート１は、図１に示すサングラス（光学部品１０）や、図２に示すサンバイザー（光学部品１０’）に用いられる。
【００２６】
図１に示すように、サングラス（光学部品１０）は、使用者の頭部に装着されるフレーム２と、フレーム２に固定された光学シート付レンズ３（光学部品）とを備えている。なお、本明細書中においては、「レンズ」とは、集光機能を有するもの、集光機能を有していないものの双方を含む。
【００２７】
図１に示すように、フレーム２は、使用者の頭部に装着されるものであり、リム部２１と、ブリッジ部２２と、使用者の耳に掛けられるテンプル部２３と、ノーズパッド部２４とを有している。各リム部２１は、リング状をなしており、内側に光学シート付レンズ３が装着される部分である。
【００２８】
ブリッジ部２２は、各リム部２１を連結する部分である。テンプル部２３は、つる状をなし、各リム部２１の縁部に連結されている。このテンプル部２３は、使用者の耳に掛けられる部分である。ノーズパッド部２４は、サングラス（光学部品１０）を使用者の頭部に装着した装着状態において、使用者の鼻と当接する部分である。これにより、装着状態を安定的に維持することができる。
【００２９】
なお、フレーム２の形状は、使用者の頭部に装着することができるものであれば、図示のものに限定されない。
【００３０】
本発明の光学部品は、レンズ４（基材）と、レンズ４の表側（装着状態における人の目とは反対側）の面に積層された光学シート１と、を有する。これにより、前述した光学シート１の利点を享受しつつ、サングラスとしての機能を発揮することができる。
【００３１】
図２に示すように、サンバイザー（光学部品１０’）は、使用者の頭部に装着されるリング状の装着部５と、装着部５の前方に設けられたツバ６とを有している。ツバ６は、光透過性部材７（基材）と、光透過性部材７の上面に設けられた光学シート１とを有する。これにより、前述した光学シート１の利点を享受しつつ、サンバイザーとしての機能を発揮することができる。
【００３２】
なお、レンズ４および光透過性部材７の構成材料としては、光透過性を有していれば特に限定されず、各種樹脂材料や各種ガラス等が挙げられるが、光学シート１のポリカーボネートと同種のポリカーボネートであるのが好ましい。これにより、レンズ４または光透過性部材７と、光学シート１との密着性を高めることができる。
【００３３】
以下、光学シート１について詳細に説明する。なお、以下では、レンズ４（基材）上に積層した場合について代表的に説明する。
【００３４】
図３に示すように、光学シート１は、保護層２０と、偏光層３０と、赤外線吸収層４０と、保護層２０および偏光層３０を接合する接着剤層５０と、偏光層３０および赤外線吸収層４０を接合する接着剤層６０と、を備えている。光学シート１では、赤外線吸収層４０、接着剤層６０、偏光層３０、接着剤層５０および保護層２０の順で積層されている。また、本実施形態では、光学シート１は、赤外線吸収層４０がレンズ４側に位置する向きで配置されている。
【００３５】
（保護層２０）
保護層２０は、光学シート１の最外層に位置しており、偏光層３０等の下側の層を保護する機能を有する。
【００３６】
保護層２０は、樹脂材料で構成されている。この樹脂材料としては、特に限定されず、例えば、ポリカーボネート、ポリアミド、ポリ塩化ビニル、ポリエチレン、ポリプロピレン等が挙げられ、これらの中でもポリカーボネートであるのが好ましい。
【００３７】
ポリカーボネートとしては、特に限定されず、各種のものを用いることができるが、中でも、芳香族系ポリカーボネートであることが好ましい。芳香族系ポリカーボネートは、その主鎖に芳香族環を備えており、これにより、光学シート１の強度をより優れたものとすることができる。
【００３８】
この芳香族系ポリカーボネートは、例えば、ビスフェノールとホスゲンとの界面重縮合反応、ビスフェノールとジフェニルカーボネートとのエステル交換反応等により合成される。
【００３９】
ビスフェノールとしては、例えば、ビスフェノールＡや、下記式（１）に示すポリカーボネートの繰り返し単位の起源となるビスフェノール（変性ビスフェノール）等が挙げられる。
【００４０】
【化１】
2019144327.tif 000003
（式（１）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【００４１】
なお、前記式（１）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【００４２】
特に、ポリカーボネートとしては、ビスフェノールに由来する骨格を有するビスフェノール型ポリカーボネートを主成分とするのが好ましい。かかるビスフェノール型ポリカーボネートを用いることにより、光学シート１は、さらに優れた強度を発揮するものとなる。
【００４３】
また、保護層２０中のポリカーボネートの含有量は、７０ｗｔ％以上１００ｗｔ％以下であるのが好ましく、９０ｗｔ％以上１００ｗｔ％以下であるのがより好ましい。これにより、本発明の効果をより確実に発揮することができる。これにより、保護層２０の強度をより優れたものとすることができる。
【００４４】
このような保護層２０の延伸倍率は、１以上５以下であるのが好ましく、１以上３以下であるのがより好ましい。これにより、延伸時に色ムラ、赤外光吸収剤のムラ、紫外線吸収剤のムラが生じるのを防止または抑制することができる。
【００４５】
また、保護層２０の厚さは、０．０５ｍｍ以上３．０ｍｍ以下であるのが好ましく、０．１ｍｍ以上１．０ｍｍ以下であるのがより好ましい。これにより、保護層２０の下側の層（偏光層３０等）を十分に保護することができる。
【００４６】
（偏光層３０）
図３に示す偏光層３０は、入射光（偏光していない自然光）から、所定の一方向に偏光面をもつ直線偏光を取出す機能を有している。これにより、光学シート１を介して目に入射する入射光は、乱光が除去され、偏光されたものとなる。
【００４７】
偏光層３０の偏光度は、特に限定されないが、例えば、５０％以上１００％以下であるのが好ましく、８０％以上１００％以下であるのがより好ましい。また、偏光層３０の可視光線透過率は、特に限定されないが、例えば、１０％以上８０％以下であるのが好ましく、２０％以上５０％以下であるのがより好ましい。
【００４８】
このような偏光層３０の構成材料としては、上記機能を有するものであれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエン系配向フィルム等が挙げられる。
【００４９】
これらの中でも、偏光層３０は、ポリビニルアルコール（ＰＶＡ）を主材料とした高分子フィルムに、ヨウ素または二色性染料を吸着、染色させ、一軸延伸したものが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光層３０は、耐熱性に優れたものとなるとともに、偏光機能に優れたものとなる。
【００５０】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【００５１】
この偏光層３０の厚さは、特に限定されず、例えば、５μｍ以上６０μｍ以下であるのが好ましく、１０μｍ以上４０μｍ以下であるのがより好ましい。
【００５２】
このような偏光層３０は、図５に示すような光透過スペクトルを有する。なお、図５に示す光透過スペクトルは、偏光層３０単体での光透過スペクトルを示すグラフである。
【００５３】
（赤外線吸収層４０）
赤外線吸収層４０は、レンズ４側に設けられ、赤外線を吸収して遮蔽する機能を有する。これにより、装着者の目を保護することができる。
【００５４】
赤外線吸収層４０は、樹脂材料と、７８０ｎｍ以上２５００ｎｍ以下の波長域の光を吸収する赤外線吸収剤（光吸収剤）と、を含む。
【００５５】
この樹脂材料としては、特に限定されず、例えば、ポリカーボネート、ポリアミド、ポリ塩化ビニル、ポリエチレン、ポリプロピレン等が挙げられ、これらの中でもポリカーボネートであるのが好ましい。
【００５６】
ポリカーボネートとしては、特に限定されず、各種のものを用いることができるが、中でも、芳香族系ポリカーボネートであることが好ましい。芳香族系ポリカーボネートは、その主鎖に芳香族環を備えており、これにより、赤外線吸収層４０の強度をより優れたものとすることができる。
【００５７】
この芳香族系ポリカーボネートは、例えば、ビスフェノールとホスゲンとの界面重縮合反応、ビスフェノールとジフェニルカーボネートとのエステル交換反応等により合成される。
【００５８】
ビスフェノールとしては、例えば、ビスフェノールＡや、下記式（１）に示すポリカーボネートの繰り返し単位の起源となるビスフェノール（変性ビスフェノール）等が挙げられる。
【００５９】
【化２】
2019144327.tif 000004
（式（１）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【００６０】
なお、前記式（１）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【００６１】
特に、ポリカーボネートとしては、ビスフェノールに由来する骨格を有するビスフェノール型ポリカーボネートを主成分とするのが好ましい。かかるビスフェノール型ポリカーボネートを用いることにより、光学シート１は、さらに優れた強度を発揮するものとなる。
【００６２】
また、赤外線吸収層４０中のポリカーボネートの含有量は、８７ｗｔ％以上９９．９４９ｗｔ％以下であるのが好ましく、９０ｗｔ％以上９９．８７ｗｔ％以下であるのがより好ましい。これにより、赤外線吸収層４０の強度を十分に高めることができる。
【００６３】
赤外線吸収剤は、７８０ｎｍ以上２５００ｎｍ以下の波長域の光を吸収する機能を有する。なお、本明細書中では、「吸収」とは、透過率が１０％以下のことを言う。
【００６４】
赤外線吸収剤としては、金属ホウ化物、酸化チタン、酸化ジルコニウム、スズドープ酸化インジウム（ＩＴＯ）、アンチモンドープ酸化スズ（ＡＴＯ）、酸化タングステン化合物、ジイモニウム化合物、フタロシアニン化合物、ナフタロシアニン化合物、アゾ化合物、アミニウム化合物、シアニン化合物、スクアリリウム化合物、アントラキノン化合物、フナトキノン化合物、ジチオール化合物、ポリメチン化合物等が挙げられる。
【００６５】
これらの中でも、酸化タングステン化合物、ジイモニウム化合物、フタロシアニン化合物およびナフタロシアニン化合物、ジチオール化合物を含むものであるのが好ましく、酸化タングステン化合物を含むものがさらに好ましい。
【００６６】
赤外線吸収層４０中における赤外線吸収剤の含有量は、０．００１ｗｔ％以上２ｗｔ％以下であるのが好ましく、０．００２ｗｔ％以上１．０ｗｔ％以下であるのがより好ましく、０．００２ｗｔ％以上０．１ｗｔ％以下であるのがさらに好ましい。これにより、赤外線を十分に吸収することができるとともに、可視光領域の光を良好に通すことが可能となり、赤外線吸収層４０の十分な強度を確保することができる。
【００６７】
このような赤外線吸収層４０は、延伸されたものであっても非延伸のものであってもよいが、非延伸のものであるのが好ましい。これにより、延伸することによって赤外線吸収剤の存在位置にムラが生じるのを防止することができる、すなわち、可及的に均一に赤外線吸収層４０中に赤外線吸収剤が分散された状態となる。
【００６８】
また、赤外線吸収層４０の厚さは、０．０５ｍｍ以上３．０ｍｍ以下であるのが好ましく、０．１ｍｍ以上１．０ｍｍ以下であるのがより好ましい。これにより、赤外線吸収層４０の下側の層（偏光層３０等）を赤外線から十分に保護することができる。
【００６９】
このような赤外線吸収層４０は、図６に示すような光透過スペクトルを有する。なお、図６に示す光透過スペクトルは、赤外線吸収層４０単体での光透過スペクトルを示すグラフである。
【００７０】
（接着剤層５０および接着剤層６０）
接着剤層５０は、保護層２０と偏光層３０との間に設けられ、保護層２０と偏光層３０とを接合するものである。接着剤層６０は、偏光層３０と赤外線吸収層４０との間に設けられ、偏光層３０と赤外線吸収層４０とを接合するものである。接着剤層５０および接着剤層６０を構成する接着剤（または粘着剤）としては、特に限定されず、例えば、アクリル系接着剤、ウレタン系接着剤、エポキシ系接着剤、シリコーン系接着剤等が挙げられる。
【００７１】
中でも、ウレタン系接着剤が好ましい。これにより、接着剤層５０および接着剤層６０の透明性、接着強度、耐久性をより優れたものとしつつ、形状変化に対する追従性を特に優れたものとすることができる。
【００７２】
接着剤層５０および接着剤層６０の厚さは、同じであってもよく、異なっていてもよいが、１μｍ以上２００μｍ以下であるのが好ましく、１０μｍ以上１００μｍ以下であるのがより好ましい。
【００７３】
なお、接着剤層５０および接着剤層６０は、同じ接着剤で構成されていてもよく、異なっていてもよい。
【００７４】
次に、光学シート１の光透過スペクトルについて説明する。
図４は、光学シートの光透過スペクトルを示すグラフである。図４中横軸が波長［ｎｍ］を示しており、縦軸が光透過率［％］を示している。
【００７５】
図４に示すように、光学シート１の光透過スペクトルは、第１ピークＰａと、第２ピークＰｂとを有する曲線で表される。第１ピークＰａは、７３０ｎｍ以上８３０ｎｍ以下の間に透過率のピーク波長Ｐ１を有する。一方、第２ピークＰｂは、４２０ｎｍ以上５２０ｎｍ以下の間に透過率のピーク波長Ｐ２を有する。
【００７６】
ここで、偏光層と赤外線吸収層とを単に組み合わせるだけでは、可視光透過率を十分に高めつつ、十分な偏光機能と、十分な赤外線吸収機能とを両立することはできない。すなわち、可視光の透過率は十分に高いのが好ましく、赤外線の透過率は十分に低いのが好ましいが、何れか一方を満足させようとすると、他方を満足するのが困難になる。
【００７７】
さらに換言すれば、単に可視光の透過率を高めると、赤外線の透過率も高まってしまう。一方、単に赤外線の透過率を低くすると、可視光の透過率が低くなってしまう。これは、第１ピークＰａおよび第２ピークＰｂの形状が互いに影響し合っているためである。すなわち、可視光領域の透過率と赤外線領域の透過率は、互いに影響し合っている。しかしながら、従来では、偏光機能と赤外線吸収機能とを両立することに関して、十分な検討がなされていなかった。
【００７８】
そこで、本発明者らは、以下のような条件を満足することにより、偏光機能と赤外線吸収機能とを両立することができることを見出し、本発明の完成に至った。
【００７９】
具体的には、光透過スペクトルにおいて、７３０ｎｍ以上８３０ｎｍ以下の間に光透過率のピーク波長Ｐ１を有する第１ピークＰａを有し、３８０ｎｍ以上７８０ｎｍ以下の波長域の平均光透過率が１０以上であり、７８０ｎｍ超２５００ｎｍ以下の波長域の平均光透過率が１０以下であることにより、可視光の透過率を十分に高くすることができるとともに、赤外線の透過率を十分に低くすることができる。よって、可視光の透過率を高く維持しつつ、偏光機能と赤外線吸収機能とを両立することができる。その結果、良好な視界と、目の保護を両立することができる。
【００８０】
７３０ｎｍよりも短い波長域に光透過率のピーク波長Ｐ１が位置していた場合、赤外線の透過率が高くなってしまう傾向を示す。一方、８３０ｎｍよりも長い波長域に光透過率のピーク波長Ｐ１が位置していた場合、可視光の透過率が低くなる傾向を示す。
【００８１】
また、３８０ｎｍ以上７８０ｎｍ以下の波長域の平均光透過率が１０よりも小さい場合、装着者の視野が暗くなってしまう。
【００８２】
また、７８０ｎｍ超２５００ｎｍ以下の波長域の平均光透過率が１０より大きい場合、赤外線吸収機能が不十分となる。
【００８３】
本明細書中における平均光透過率とは、以下のようにして算出した値である。
「ＪＡＳＣＯ  Ｖ−６７０」を用いて２ｎｍ刻みで各波長における光透過率を測定し、その測定値にＡＮＳＩ重価係数を積算し算出した値の平均値である。すなわち、本発明では、３８０ｎｍ以上７８０ｎｍ以下の領域において、２ｎｍ刻みで各波長における光透過率を測定し、その測定値にＡＮＳＩ重価係数を積算し算出した値の平均値が、１０以上であり、７８０ｎｍ超２５００ｎｍ以下の領域において、２ｎｍ刻みで各波長における光透過率を測定し、その測定値にＡＮＳＩ重価係数を積算し算出した値の平均値が、１０以下である。
【００８４】
なお、ＡＮＳＩ重価係数とは、眼鏡に関するアメリカ合衆国の規格（American  National  Standard  Institute）によって定められる係数である。
【００８５】
光学シート１では、主に、赤外線吸収層４０の赤外線吸収率が第１ピークＰａの形成に寄与しており、偏光層３０の可視光透過率が第２ピークＰｂの形成に寄与している。
【００８６】
赤外線吸収層４０の赤外線吸収剤の種類、含有量を調整することにより、第１ピークＰａのピーク波長Ｐ１の位置、透過率を調整することができる。また、偏光層３０の偏光度や厚さを調整することにより、第２ピークＰｂのピーク波長Ｐ２の位置、透過率を調整することができる。
【００８７】
また、光透過率Ｔ１は、光透過率Ｔ２よりも大きいのが好ましい。光透過率Ｔ１と光透過率Ｔ２との差ΔＴは、２％以上３０％以下であるのが好ましく、５％以上２０％以下であるのがより好ましい。これにより、本発明の効果をより顕著に得ることができる。
【００８８】
また、ピーク波長Ｐ１における光透過率Ｔ１は、１０％以上５０％以下であるのが好ましく、２０％以上４０％以下であるのがより好ましい。これにより、本発明の効果をより確実に発揮することができる。
【００８９】
光透過率Ｔ１が大きすぎると、赤外線領域での光透過率が高くなってしまう傾向を示す。一方、光透過率Ｔ１が小さすぎると、可視光領域での光透過率が高くなってしまう傾向を示す。
【００９０】
また、ピーク波長Ｐ２における光透過率Ｔ２は、１０％以上５０％以下であるのが好ましく、２０％以上４０％以下であるのがより好ましい。これにより、本発明の効果をより確実に発揮することができる。
【００９１】
光透過率Ｔ２が大きすぎると、可視光領域での光透過率が高くなってしまう傾向を示す。一方、光透過率Ｔ２が小さすぎると、赤外線領域での光透過率が高くなってしまう傾向を示す。
【００９２】
第１ピークＰａの半値幅Ｗａは、３０ｎｍ以上２００ｎｍ以下であるのが好ましく、５０ｎｍ以上１５０ｎｍ以下であるのがより好ましい。これにより、可視光の過剰な吸収を抑制することができ、赤外線の吸収と可視光の透過の両立が可能となる。
【００９３】
第２ピークＰｂの半値幅Ｗｂは、３０ｎｍ以上２００ｎｍ以下であるのが好ましく、５０ｎｍ以上１５０ｎｍ以下であるのがより好ましい。これにより、可視光の過剰な吸収を抑制することができ、視界がより良好となる。
【００９４】
なお、第１ピークＰａにおける半値幅Ｗａは、次のように定義される。まず、ピーク波長Ｐ１から２ｎｍ刻みで、ピーク波長Ｐ１の両サイドにおいて、外側に向って吸光度を測定していき、吸光度の変化が０．００５以下になる最初の波長（中心より３０ｎｍ以上遠い）を２つ検出し、これらのうち透過率が高い方の波長をボトム波長とする。そして、ボトム波長の透過率とピーク波長Ｐ１の透過率との差の半分の値のときの、第１ピークＰａの幅を第１ピークＰａにおける半値幅Ｗａとする。
【００９５】
第２ピークＰｂにおける半値幅Ｗｂは、上記と同様にして次のように定義される。まず、ピーク波長Ｐ２から２ｎｍ刻みで、ピーク波長Ｐ２の両サイドにおいて、外側に向って吸光度を測定していき、吸光度の変化が０．００５以下になる最初の波長（中心より１０ｎｍ以上遠い）を２つ検出し、これらのうち透過率が高い方の波長をボトム波長とする。そして、ボトム波長の透過率とピーク波長Ｐ２の透過率との差の半分の値のときの、第２ピークＰｂの幅を第２ピークＰｂにおける半値幅Ｗｂとする。
【００９６】
このように、本発明では、光吸収スペクトルにおいて、７３０ｎｍ以上８３０ｎｍ以下の間の光透過率のピーク波長をピーク波長Ｐ１としたとき、光透過スペクトルにおいて、４２０ｎｍ以上５２０ｎｍ以下の間に光透過率のピーク波長Ｐ２を有する第２ピークＰｂを有する。これにより、可視光の透過率を十分に高くすることができるとともに、赤外線の透過率を十分に低くすることができる。特に、上述したような光透過スペクトルにおいて上述したような２つのピークを有することにより、特に、可視光の青緑色をカットすることができる。よって、視野のコントラストを高めることができる。
【００９７】
このような光学シート１は、レンズ４の表面に接着剤層を介して貼着されていてもよく、レンズ４と一体的に形成されていてもよい。レンズ４と一体的に形成する場合、まず、金型内に光学シート１を載置し、金型内に溶融状態のレンズ４となる材料（例えば、樹脂材料）を流し込んで成形するシートインサート法を用いることができる。
【００９８】
以上、本発明の好適な実施形態について説明したが、本発明は、前述したものに限定されるものではなく、本発明の目的を達成できる範囲での変形、改良等は本発明に含まれるものである。
【００９９】
例えば、本発明の光学シートを構成する各部は、同様の機能を発揮し得る任意の構成のものと置換することができる。
【０１００】
また、本発明の光学シートは、前述した構成に加え、任意の構成物が付加されていてもよい。
【０１０１】
より具体的には、例えば、本発明の光学シートは、表面を保護する保護層や、中間層、レンズとしての度数を調整する度数調整層等を備えていてもよい。
【実施例】
【０１０２】
以下、実施例に基づいて本発明をより具体的に説明する。
１．光学シートの検討
１−１．光学シートの作成
【０１０３】
［実施例１］
［１］まず、１００質量部のビスフェノールＡ型ポリカーボネート（三菱瓦斯化学社製、「ユーピロン  Ｅ２０００ＦＮ  Ｅ５１００」）を押し出し成形により、保護層を得た。なお、保護層の厚さは、０．３２５ｍｍであった。
【０１０４】
［２］一方で、１００質量部のビスフェノールＡ型ポリカーボネート（三菱瓦斯化学社製、「ユーピロン  Ｅ２０００ＦＮ  Ｅ５１００」）と、０．００５質量部の赤外線吸収剤（住友金属鉱山社製「ＹＭＤＳ−８７４」）を撹拌・混合することにより、光学シート成形材料を用意し、押し出し成形により、赤外線吸収層を得た。なお、赤外線吸収層の厚さは、０．３ｍｍであった。
【０１０５】
［３］一方で、ポリビニルアルコールフィルム（クラレ社製「クラレビニロン＃７５００」）を水槽中で延伸しながら、Ｃ．Ｉ．ダイレクトブラック１７を溶解した水溶液にて染色した後にホウ酸溶液中に浸漬処理し、さらに水洗、乾燥処理を行うことで偏光層を得た。
【０１０６】
［４］そして、偏光層の両面に、硬化させることにより接着層となるウレタン系接着剤を塗工し、一方の面側から保護層を貼着し、他方の面側から赤外線吸収層を貼着し、その後、接着剤を硬化させた。これにより、図３に示す光学シートを得た。
【０１０７】
なお、得られた光学シートでは、第１ピーク（ピーク）のピーク波長Ｐ１は、７８０ｎｍであり、第２ピークのピーク波長Ｐ２は、４７０ｎｍであった。また、３８０ｎｍ以上７８０ｎｍ以下の波長域の平均光透過率Ｔａが３０．４％であり、７８０ｎｍ超２５００ｎｍ以下の波長域の平均光透過率Ｔｂが６．５％であった。
【０１０８】
［実施例２］
光学シートの構成を表１に示すように変更したこと以外は、前記実施例１と同様にして実施例２の光学シートを得た。
【０１０９】
［実施例３］
光学シートの構成を表１に示すように変更したこと以外は、前記実施例１と同様にして実施例３の光学シートを得た。
【０１１０】
［実施例４］
光学シートの構成を表１に示すように変更したこと以外は、前記実施例１と同様にして実施例４の光学シートを得た。
【０１１１】
［比較例１］
光学シートの構成を表１に示すように変更したこと以外は、前記実施例１と同様にして比較例１の光学シートを得た。
【０１１２】
［比較例２］
光学シートの構成を表１に示すように変更したこと以外は、前記実施例１と同様にして比較例２の光学シートを得た。
【０１１３】
［比較例３］
光学シートの構成を表１に示すように変更したこと以外は、前記実施例１と同様にして比較例３の光学シートを得た。
【０１１４】
［比較例４］
光学シートの構成を表１に示すように変更したこと以外は、前記実施例１と同様にして比較例４の光学シートを得た。
【０１１５】
また、表１中、Ａが、ビスフェノールＡ型ポリカーボネート（三菱瓦斯化学社製、「ユーピロン  Ｅ２０００ＦＮ  Ｅ５１００」）を示し、Ｂが、ポリビニルアルコールフィルム（クラレ社製「クラレビニロン＃７５００」）を示し、Ｃが、ウレタン系接着剤を示し、Ｄ１が、住友金属鉱山社製「ＹＭＤＳ−８７４」（赤外線吸収剤）を示し、Ｄ２が、日本化薬社製「ＫＡＹＡＳＯＲＢ  ＩＲＧ−０６９」（赤外線吸収剤）を示し、Ｄ３が、山田化学工業社製「ＦＤＮ−０１０」（赤外線吸収剤）を示し、Ｄ４が、山田化学工業社製「ＦＤＮ−００８」（赤外線吸収剤）を示し、Ｄ５が、東京化成工業社製「Ｂ４３６１」（赤外線吸収剤）を示し、Ｄ６が東京化成工業社製「Ｂ４３６０」（赤外線吸収剤）を示している。
【０１１６】
なお、実施例２の光学シートにおける赤外線吸収剤Ｄ１、Ｄ５、Ｄ６の配合比は、５：１：１である。また、実施例３の光学シートにおける赤外線吸収剤Ｄ１、Ｄ３、Ｄ４、Ｄ５、Ｄ６の配合比は、１０：１：１：１：１である。
【０１１７】
１−２．評価
各実施例および各比較例の光学シートを、以下の方法で評価した。
【０１１８】
（赤外線吸収特性評価）
上記のように製造した光学シートを「ＪＡＳＣＯ  Ｖ−６７０」を用いて赤外線透過率を測定した。
Ａ：透過率が０％以上７％以下。
Ｂ：透過率が７％超１０％以下。
Ｃ：透過率が１０％超１５％以下。
Ｄ：透過率が１５％超。
【０１１９】
（可視光透過率評価）
上記のように製造した光学シートを「ＪＡＳＣＯ  Ｖ−６７０」を用いて可視光透過率を測定した。
Ａ：透過率が１５％超。
Ｂ：透過率が１０％超１５％以下。
Ｃ：透過率が７％超１０％以下。
Ｄ：透過率が０％以上７％以下。
【０１２０】
（偏光機能評価）
上記のように製造した光学シートを「ＪＡＳＣＯ  Ｖ−７６０」を用いて偏光機能を測定した。
Ａ：偏光度が９７％超１００％以下。
Ｂ：偏光度が９５％超９７％以下。
Ｃ：偏光度が９３％超９５以下。
Ｄ：偏光度が０％以上９３％以下。
【０１２１】
以上のようにして得られた各実施例および各比較例の光学シートにおける評価結果を、それぞれ、下記の表１に示す。
【０１２２】
【表１】
2019144327.tif 000005
【０１２３】
表１に示したように、各実施例における光学シートでは、各比較例と同等もしくはそれ以上の強度を発揮しつつ、各比較例に対して満足のいく結果となった。
【符号の説明】
【０１２４】
１            光学シート
２            フレーム
３            光学シート付レンズ
４            レンズ
５            装着部
６            ツバ
７            光透過性部材
２１          リム部
２２          ブリッジ部
２３          テンプル部
２４          ノーズパッド部
１０          光学部品
１０’        光学部品
２０          保護層
３０          偏光層
４０          赤外線吸収層
５０          接着剤層
６０          接着剤層
Ｐ１          ピーク波長
Ｐ２          ピーク波長
Ｐａ          第１ピーク
Ｐｂ          第２ピーク
Ｗａ          半値幅
Ｗｂ          半値幅
【図１】
2019144327.tif 000006
【図２】
2019144327.tif 000007
【図３】
2019144327.tif 000008
【図４】
2019144327.tif 000009
【図５】
2019144327.tif 000010
【図６】
2019144327.tif 000011